(57)【要約】  受信部（５２）が複数の制御コードを連続して受信した場合、当該複数の制御コードにそれぞれ含まれる複数の制御信号を得て、この複数の制御信号のうち、同じ内容を示す制御情報の数が最も多い制御信号を、前記複数の制御コードが示す制御信号であると判断するコード判断部（５３１）と、このコード判断部（５３１）によって判断された制御信号に基づき表示部（５５）を制御する制御部（５４）と、を備えることを特徴とする。
2011117930.tif 000002
【特許請求の範囲】
【請求項１】
受信部が複数の制御コードを連続して受信した場合、当該複数の制御コードにそれぞれ含まれる複数の制御信号を得て、この複数の制御信号のうち、同じ内容を示す制御情報の数が最も多い制御信号を、前記複数の制御コードが示す制御信号であると判断するコード判断部と、
前記コード判断部によって判断された制御信号に基づき表示部を制御する制御部と、
を備えることを特徴とする表示装置。
【請求項２】
前記コード判断部によって判断された前記制御信号を示す制御コードを複製して複数の制御コードを生成するコード生成部と、
前記複数の制御コードを他の表示装置に送信する送信部と、
をさらに備えることを特徴とする請求項１に記載の表示装置。
【請求項３】
前記受信部がリモコン送信機から制御コードを受信した場合、
前記コード生成部は、
当該リモコン送信機から送信された制御コードを複製して前記複数の制御コードを生成することを特徴とする請求項２に記載の表示装置。
【請求項４】
前記受信部は、
前記リモコン送信機から前記制御コードを受信する場合、直前に受信した前記制御コードの受信のタイミングから、予め決められた受信待ち時間が経過したか否かを判断し、前記受信待ち時間が経過していることを判断した場合、前記リモコン送信機からの前記制御コードを受信することを特徴とする請求項３に記載の表示装置。
【請求項５】
前記送信部は、
前記コード生成部によって生成された複数の制御コードを予め決められた間隔をあけて送信することを特徴とする請求項２から４のいずれか一項に記載の表示装置。
【請求項６】
前記コード判断部は、
複数の制御コードを連続して受信した場合、当該複数の制御コードを受信するタイミングの間隔が、予め決められた間隔以内であるか否かを判断し、予め決められた間隔以内で連続して受信した前記複数の制御コードに基づき、当該複数の制御コードが示す制御信号を判断することを特徴とする請求項１から５のいずれか一項に記載の表示装置。
【請求項７】
受信部が複数の制御コードを連続して受信した場合、コード判断部が当該複数の制御コードにそれぞれ含まれる複数の制御信号を得て、この複数の制御信号のうち、同じ内容を示す制御情報の数が最も多い制御信号を、前記複数の制御コードが示す制御信号であると判断するステップと、
制御部が、前記コード判断部によって判断された制御信号に基づき表示部を制御するステップと、
を備えることを特徴とする表示方法。
【請求項８】
コンピュータに、
複数の制御コードを連続して受信した場合、当該複数の制御コードにそれぞれ含まれる複数の制御信号を得て、この複数の制御信号のうち、同じ内容を示す制御情報の数が最も多い制御信号を、前記複数の制御コードが示す制御信号であると判断する手順、
前記判断された制御信号に基づき表示部を制御する手段を実行させるためのプログラム。    
【請求項９】
前記請求項３から５のいずれか一項に記載の第１の表示装置と、
前記第１の表示装置に対して前記制御コードを送信するリモコン送信機と、
前記第１の表示装置と接続され、前記請求項１あるいは２に記載の少なくとも１つの第２の表示装置とを備えることを特徴とする表示システム。
【請求項１０】
前記少なくとも１つの第２の表示装置は、
直列的に接続される前記請求項１あるいは２に記載の複数の表示装置であることを特徴とする請求項９に記載の表示システム。
【発明の詳細な説明】
【技術分野】
【０００１】
本発明は、リモコン送信機から送信される制御信号を受信して動作する表示装置、伝送情報の伝送方法、プログラムおよび表示システムに関する。
【背景技術】
【０００２】
一般的な表示装置において、リモコン送信機から同一の制御信号の受信を繰り返すことで表示機能の状態のＯＮ／ＯＦＦを切り替えるトグル動作を行うものがある。例えば、リモコン送信機における電源のＯＮ／ＯＦＦボタンが同一であって、このＯＮ／ＯＦＦボタンが押下されたことにより送信される制御信号に基づき、表示装置が電源の切り替えを行う。
一方、音量調整用のボタンのように、同一のボタンが押下されて、この操作による同一の制御信号を表示装置が連続的に受信した場合、機能の切り替えではなく、設定状態の連続的な変更を行う場合もある。
このように、制御信号を連続して受信することによる表示装置の制御が異なる場合、受信した制御信号に応じて、次にリモコン送信機から受信する制御信号を制限するものがある（例えば、特許文献１参照）。
【先行技術文献】
【特許文献】
【０００３】
【特許文献１】特開平１１−１６８７７９号公報
【発明の概要】
【発明が解決しようとする課題】
【０００４】
しかしながら、複数の表示装置が直列的に接続されている場合、途中の一台で受信ミスが発生した場合、それ以降の表示装置に制御信号が伝送されないため、これら複数の表示装置を統括的に制御することができない問題がある。
例えば、複数の表示装置のうち一の表示装置がリモコン送信機から電源ＯＮ／ＯＦＦを示す制御信号を受信した際、途中の一台で受信ミスが発生し、以降の表示装置に対して、電源ＯＮ／ＯＦＦを示す制御信号が伝送されない場合がある。この場合、電源ＯＮ／ＯＦＦを示す制御信号を受信した表示装置では電源がＯＮされるももの、受信ミスが発生した表示装置以降の表示装置においては電源がＯＦＦのままである。これに続けて、リモコン送信機から電源ＯＮ／ＯＦＦを示す制御信号が送信されると、現時点において電源がＯＮされている表示装置は電源がＯＦＦされ、電源がＯＦＦされている表示装置は電源がＯＮされる。よって、複数の表示装置が連動して動作されない問題がある。【０００５】
本発明は、このような事情を考慮し、上記の問題を解決すべくなされたものであって、その目的は、受信した情報が誤って異なる情報に変更された場合、誤った情報をそのまま他の装置に伝送することを防止する表示装置、伝送情報の伝送方法、プログラムおよび表示システムを提供することにある。
【課題を解決するための手段】
【０００６】
上記問題を解決するために、本発明に係る表示装置は、受信部が複数の制御コードを連続して受信した場合、当該複数の制御コードにそれぞれ含まれる複数の制御信号を得て、この複数の制御信号のうち、同じ内容を示す制御情報の数が最も多い制御信号を、前記複数の制御コードが示す制御信号であると判断するコード判断部と、前記コード判断部によって判断された制御信号に基づき表示部を制御する制御部と、を備えることを特徴とする表示装置（第１の特徴を有する表示装置）。【０００７】
また、上述の表示装置は、前記コード判断部によって判断された前記制御信号を示す制御コードを複製して複数の制御コードを生成するコード生成部と、前記複数の制御コードを他の表示装置に送信する送信部と、をさらに備えることを特徴とする（第２の特徴を有する表示装置）。【０００８】
また、上述の表示装置において、前記受信部がリモコン送信機から制御コードを受信した場合、前記コード生成部は、当該リモコン送信機から送信された制御コードを複製して前記複数の制御コードを生成することを特徴とする（第３の特徴を有する表示装置）【０００９】
また、上述の表示装置において、前記受信部は、前記リモコン送信機から前記制御コードを受信する場合、直前に受信した前記制御コードの受信のタイミングから、予め決められた受信待ち時間が経過したか否かを判断し、前記受信待ち時間が経過していることを判断した場合、前記リモコン送信機からの前記制御コードを受信することを特徴とする（第４の特徴を有する表示装置）。【００１０】
また、上述の表示装置において、前記送信部は、前記コード生成部によって生成された複数の制御コードを予め決められた間隔をあけて送信することを特徴とする（第５の特徴を有する表示装置）。【００１１】
また、上述の表示装置において、前記コード判断部は、複数の制御コードを連続して受信した場合、当該複数の制御コードを受信するタイミングの間隔が、予め決められた間隔以内であるか否かを判断し、予め決められた間隔以内で連続して受信した前記複数の制御コードに基づき、当該複数の制御コードが示す制御信号を判断することを特徴とする（第６の特徴を有する表示装置）。【００１２】
上記問題を解決するために、本発明に係る表示方法は、受信部が複数の制御コードを連続して受信した場合、コード判断部が当該複数の制御コードにそれぞれ含まれる複数の制御信号を得て、この複数の制御信号のうち、同じ内容を示す制御情報の数が最も多い制御信号を、前記複数の制御コードが示す制御信号であると判断するステップと、制御部が、前記コード判断部によって判断された制御信号に基づき表示部を制御するステップと、を備えることを特徴とする。【００１３】
上記問題を解決するために、本発明に係るプログラムは、コンピュータに、複数の制御コードを連続して受信した場合、当該複数の制御コードにそれぞれ含まれる複数の制御信号を得て、この複数の制御信号のうち、同じ内容を示す制御情報の数が最も多い制御信号を、前記複数の制御コードが示す制御信号であると判断する手順、前記判断された制御信号に基づき表示部を制御する手段を実行させるためのプログラムであることを特徴とする。【００１４】
また、上記問題を解決するために、本発明に係る表示システムは、前記第３から５の特徴のうち少なくとも１つを備える第１の表示装置と、前記第１の表示装置に対して前記制御コードを送信するリモコン送信機と、前記第１の表示装置と接続され、前記第１の特徴あるいは第２の特徴のうち少なくとも１つを備える第２の表示装置とを備えることを特徴とする。【００１５】
また、上述の表示システムにおいて、前記少なくとも１つの第２の表示装置は、直列的に接続される複数の前記第１の特徴あるいは第２の特徴のうち少なくとも１つを備える表示装置であることを特徴とする。
【発明の効果】
【００１６】
本発明によると、受信した情報が誤って異なる情報に変更された場合、誤った情報をそのまま他の装置に伝送することを防止する。
【図面の簡単な説明】
【００１７】
【図１】本実施形態に係る表示システムの一例を示す図である。
【図２】本実施形態に係るリモコン送信機とディスプレイに適用可能なデバイスの構成の一例を示すブロック図である。
【図３】本実施形態に係る伝送コード体系の一例を示す図である。
【図４】本実施形態に係るコード判断部による判断例を説明するための図である。
【図５】本実施形態に係る伝送情報の伝送方法の一例を説明するためのフローチャートである。
【発明を実施するための形態】
【００１８】
次に、発明を実施するための一形態について図面を参照して詳細に説明する。
図１は、本実施形態に係る表示システムの一例を示す図である。
図１に示す通り、表示システムは、直列的に接続されている複数の表示装置（以下、ディスプレイという）１〜９と、ディスプレイ１に制御信号であるリモコンコードを送信するリモコン送信機１０を備える。このディスプレイ１〜９は、例えば、接続ケーブルを介して、符号１〜９の順番通り、各ディスプレイは、１つ小さい数の符号のディスプレイに従属して接続されている。つまり、各ディスプレイは、１つ小さい数の符号のディスプレイから受信した制御信号に基づき動作する。
【００１９】
リモコン送信機１０は、例えば、赤外線によるＩＲ（  Ｉｎｆｒａｒｅｄ  ）信号にリモコンコードをのせてディスプレイ１に送信する。このリモコンコードは、リモコン送信機１０からディスプレイ１〜９に対して指示される制御情報（リモコン情報）を含む。
このディスプレイ１は、リモコン送信機１０から送信されるリモコンコードを受信し、このリモコンコードに基づき、伝送コード１００を作成する。このディスプレイ１は、作成した伝送コード１００を接続ケーブルで接続されているディスプレイ２に送信する。
このディスプレイ２は、ディスプレイ１から受信した伝送コード１００に基づき、伝送コード１００の内容を判断する。このディスプレイ２は、判断結果に基づき伝送コード２００を作成して、ディスプレイ３に送信する。
【００２０】
このようにして、ディスプレイ３〜８は、それぞれ、受信する伝送コード２００〜７００の内容を判断して、判断結果に基づき伝送コード３００〜８００を作成し、接続されているディスプレイ４〜９に送信する。ディスプレイ９は、送信先のディスプレイが接続されていないため、受信する伝送コード８００の内容を判断するものの、伝送コードを作成して送信することはしない。
また、これらディスプレイ１〜９は、それぞれ表示部を備えており、判断結果に基づき表示部を制御する。
このように、ディスプレイ１〜９は、受信した伝送コードの内容を判断した後に各表示部を制御するとともに、判断結果に応じた伝送コードを生成し、送信先のディスプレイに対して送信する。
なお、ディスプレイ１〜９は、複数であればよく９台に限定されない。また、接続ケーブルは、シリアル形式で情報を伝送するものが利用可能である。
【００２１】
次に、図２を参照して、本実施形態に係るリモコン送信機１０とディスプレイ１〜９に適用可能な装置の各構成の一例について説明する。
図２は、本実施形態に係るリモコン送信機１０とディスプレイ１〜９に適用可能なデバイスの構成の一例を示すブロック図である。なお、上述の通り、ディスプレイ１〜９は、直列的に接続されており、伝送コードを送信する送信側のディスプレイとしても機能することができ、また伝送コードを受信する受信側のディスプレイとしても機能しうる。ここでは、送信側のディスプレイとしてディスプレイ１を、受信側のディスプレイとしてディスプレイ２を、それぞれ例にして、以下説明する。
【００２２】
図２に示すように、リモコン送信機１０は、リモコン送信部１１と、操作部１２とを備える。リモコン送信部１１は、操作部１２から出力される操作信号に基づき、この操作内容であるリモコン情報を示すリモコンコードをＩＲ信号にのせてディスプレイ１に送信する。操作部１２は、ユーザからの操作を受け付け、この操作に応じた操作信号をリモコン送信部１１に出力する。
【００２３】
送信側のディスプレイであるディスプレイ１は、計時部３１と、受信部３２と、コード処理部３３と、制御部３４と、表示部３５と、送信部３６とを備える。
計時部３１は、受信部３２が直前に受信したリモコンコードを受信した時から、予め決められている受信待ち時間を計時して、受信待ち時間が経過したことを示す信号を受信部３２に出力する。
【００２４】
受信部３２は、計時部３１から受信待ち時間が経過したことを示す信号を受信したか否かを判断し、受信待ち時間が経過したことを判断した場合、リモコン送信機１０から送信されるリモコンコードを受信する。この受信部３２は、受信したリモコンコードをコード処理部３３に出力する。
【００２５】
コード処理部３３は、コード判断部３３１と、コード生成部３３２を含む。
コード判断部３３１は、受信部３２から出力されるリモコンコードの内容を判断して、このリモコンコードが示すリモコン情報を制御部３４およびコード生成部３３２に出力する。
コード生成部３３２は、受信部３２から出力されるリモコンコードに基づき、伝送コード（例えば、伝送コード１００）を作成する。この伝送コード１００は、図３に示すように、コード生成部３３２によって決められたコード間隔Ｇ１でつながっている複数の制御コード１〜５からなる。なお、このコード間隔Ｇ１は、送信部３６から送信される際の制御コード間の待ち時間であり、例えば、１００ｍｓの長さである。
具体的に説明すると、このコード生成部３３２は、リモコンコードの内容を示すリモコン情報をそれぞれ含む制御コード１〜５を生成する。この制御コード１〜５は、全て同じリモコン情報を含む。コード生成部３３２は、これら制御コード１〜５が少なくともコード間隔Ｇ１をあけて送信部３６から送信されることを示す送信タイミング情報を制御コード１〜５に対応づけた伝送コード１００を送信部３６に出力する。
【００２６】
制御部３４は、コード判断部３３１から出力されるリモコン情報に基づき表示部３５を制御する。
表示部３５は、制御部３４の制御に従い、例えば表示部３５の電源をＯＮする。また、表示部３５は、制御部３４の制御に従い、メモリから読み出した画像データに基づく画像を表示し、あるいは、ケーブルや無線通信を介して接続される画像再生装置から送信される画像データを受信して当該画像データに基づく画像を表示することができる。
送信部３６は、コード生成部３３２から出力された伝送コード１００をディスプレイ２に送信する。
【００２７】
受信側のディスプレイであるディスプレイ２は、計時部５１と、受信部５２と、コード処理部５３と、制御部５４と、表示部５５と、送信部５６とを備える。なお、これらの構成は、ディスプレイ１と同様の機能を有し、ここでは、受信側のディスプレイとしての機能について、具体的に説明する。
【００２８】
受信部５２は、ディスプレイ１から送信される伝送コード１００を受信し、コード処理部５３に出力する。この受信部５２は、伝送コード１００に含まれる制御コード１〜５を、順次受信する。
計時部５１は、受信部５２が伝送コード１００を受信する際、伝送コード１００に含まれる制御コード１〜５を受信する間隔（時間）を計時し、この制御コード１〜５を受信する際のそれぞれの間隔を示す情報をコード処理部５３に出力する。
【００２９】
コード処理部５３は、コード判断部５３１と、コード生成部５３２を含む。
コード判断部５３１は、受信部５２から出力される伝送コードと、計時部５１から出力される制御コード１〜５を受信する際のそれぞれの間隔を示す情報に基づき、伝送コードの内容を判断して、この伝送コードが示すリモコン情報を制御部５４およびコード生成部５３２に出力する。
具体的に説明すると、コード判断部５３１は、制御コード１〜５を受信する際のそれぞれの間隔を示す情報に基づき、予め決められたコード受信間隔（時間）Ｇ２以内で、直前に受信した制御コードに連続して受信する制御コードを、同一の伝送コードに含まれる制御コードと判断する。
このコード判断部５３１は、この同一の伝送コードと判断された複数の制御コード１〜５に基づき、各制御コード１〜５が示すリモコン情報を得て、同じ内容を示すリモコン情報のうち最もその数が多いリモコン情報を、伝送コード１００が示すリモコン情報であると判断する。このコード判断部５３１は、伝送コード１００が示すリモコン情報を判断した場合、この判断結果であるリモコン情報を制御部５４およびコード生成部５３に出力する。
なお、同じ内容を示すリモコン情報の数が最も多くなるリモコン情報がない場合、コード判断部５３１は、判断できないことを示すエラー情報を制御部５４およびコード生成部５３２に出力する。
【００３０】
ここで、図４を参照して、このコード判断部５３１の判断例について説明する。
例えば、同一の伝送コードに含まれる制御コード１〜３のリモコン情報が「ａ」、制御コード４、５のリモコン情報が「ｍｉｓｓ（不明）」である場合（ケース１）、同じ内容を示すリモコン情報の数が最も多いリモコン情報は、リモコン情報「ａ」である。よって、コード判断部５３１は、判断結果としてリモコン情報「ａ」を制御部５４およびコード生成部５３２に出力する。
また、同一の伝送コードに含まれる制御コード１、２のリモコン情報が「ａ」、制御コード３のリモコン情報が「ｂ」、制御コード４のリモコン情報が「ｃ」、制御コード５のリモコン情報が「ｍｉｓｓ（不明）」である場合（ケース２）、同じ内容を示すリモコン情報の数が最も多いリモコン情報は、リモコン情報「ａ」である。よって、コード判断部５３１は、判断結果としてリモコン情報「ａ」を制御部５４およびコード生成部５３２に出力する。
一方、同一の伝送コードに含まれる制御コード１のリモコン情報が「ｍｉｓｓ（不明）」、制御コード２、３のリモコン情報が「ｂ」、制御コード４のリモコン情報が「ａ」、制御コード５のリモコン情報が「ｃ」である場合（ケース３）、同じ内容を示すリモコン情報の数が最も多いリモコン情報は、リモコン情報「ｂ」である。よって、コード判断部５３１は、判断結果としてリモコン情報「ｂ」を制御部５４およびコード生成部５３２に出力する。
【００３１】
また、ケース４のように、同一の伝送コードに含まれる全ての制御コード１〜５のリモコン情報が異なる場合、コード判断部５３１は、リモコン情報が「ｍｉｓｓ（不明）」であると判断し、判断結果としてリモコン情報「ｍｉｓｓ（不明）」を制御部５４およびコード生成部５３２に出力する。
さらに、ケース５のように、同じ内容を示すリモコン情報の数が最も多いリモコン情報が、リモコン情報「ａ」およびリモコン情報「ｂ」のように２以上ある場合、コード判断部５３１は、リモコン情報が「ｍｉｓｓ（不明）」であると判断し、判断結果としてリモコン情報「ｍｉｓｓ（不明）」を制御部５４およびコード生成部５３２に出力する。
また、ケース６のように、同じ内容を示すリモコン情報の数が最も多いリモコン情報が、リモコン情報「ｍｉｓｓ（不明）である場合、コード判断部５３１は、リモコン情報が「ｍｉｓｓ（不明）」であると判断し、判断結果としてリモコン情報「ｍｉｓｓ（不明）」を制御部５４およびコード生成部５３２に出力する。
【００３２】
コード生成部５３２は、コード判断部５３１から出力される判断結果に基づき、伝送コード（例えば、制御コード２００）を作成する。この伝送コード２００は、伝送コード１００と同様に、コード生成部５３２によって決められたコード間隔Ｇ１でつながっている複数の制御コード１〜５からなる。
このコード生成部５３２は、コード判断部５３１によって得られた判断結果であるリモコン情報を示す制御コード１〜５を生成する。つまり、この制御コード１〜５は、全て同じリモコン情報（判断結果）を含む。コード生成部５３２は、これら制御コード１〜５がコード間隔Ｇ１をあけて送信部３６から送信されることを示す送信タイミング情報を制御コード１〜５に対応づけた伝送コード２００を送信部３６に出力する。
【００３３】
制御部５４は、コード判断部５３１から出力される判断結果に基づき表示部３５を制御する。
表示部５５は、制御部５４の制御に従い、例えばメモリから読み出した画像データに基づく画像を表示する。
送信部５６は、コード生成部５３２から出力された伝送コード２００をディスプレイ３に送信する。
【００３４】
次に、図５を参照して、本実施形態に係る表示システムにおける伝送情報の伝送方法の一例について説明する。図５は、本実施形態に係る表示システムにおける伝送情報の伝送方法の一例を示すフローチャートである。
ここで、ディスプレイ１の受信部３２は、リモコン送信機１０からリモコンコードの受信を拒否する状態である。この受信部３２は、計時部３１からの信号に基づき、直前のリモコンコードの受信から受信待ち時間を経過したか否かを判断する（ステップＳＴ１）。
ここで、計時部３１は、直前のリモコンコードの受信から計時する時間が受信待ち時間を経過した場合、受信待ち時間が経過したことを示す信号を受信部３２に出力する。これにより、受信部３２は、リモコン送信機１０からのリモコンコードを受信可能な状態に遷移する（ステップＳＴ１−Ｙｅｓ）。
【００３５】
次いで、リモコン送信機１０がリモコンコードをディスプレイ１に送信した場合、受信部３２は、このリモコンコードを受信し（ステップＳＴ２）、コード処理部３３に出力する。
このコード処理部３３のコード判断部３３１は、例えば、入力するリモコンコードの内容を示すリモコン情報がリモコン情報「ａ」であることを判断し、判断結果であるリモコン情報「ａ」をコード生成部３３２におよび制御部３６に出力する。このリモコン情報「ａ」は、例えば、ディスプレイに含まれる表示部の電源をＯＮ／ＯＦＦすることを指示する制御情報である。
【００３６】
そして、コード生成部３３２は、このリモコン情報「ａ」を示す制御コード１〜５を生成して、制御コード１〜５がコード間隔Ｇ１をあけて順次送信部３６から送信されることを示す送信タイミング情報を制御コード１〜５に対応づけた伝送コード１００を送信部３６に出力する。送信部３６は、入力する伝送コード１００に基づき、制御コード１〜５を、コード間隔Ｇ１をあけてディスプレイ２に送信する（ステップＳＴ４）。
また、判断結果であるリモコン情報「ａ」が入力された制御部３６は、このリモコン情報「ａ」に基づき、ディスプレイ１の表示部３５の電源をＯＮする（ステップＳＴ５）。
【００３７】
一方、ディスプレイ２の受信部５２は、ディスプレイ１から送信される伝送コード１００を受信し、コード処理部５３に出力する。この受信部５２は、伝送コード１００に含まれる制御コード１〜５を、順次受信する（ステップＳＴ６）。
ここで、計時部５１は、受信部５２が伝送コード１００に含まれる制御コード１〜５を受信する間隔を計時し、制御コード１〜５を受信する際のそれぞれの間隔を示す情報をコード判断部５３２に出力する。
【００３８】
このコード判断部５３１は、この制御コード１〜５を受信する際のそれぞれの間隔を示す情報に基づき、予め決められたコード受信間隔Ｇ２以内で、直前に受信した制御コードに連続して受信する制御コードを、同一の伝送コードに含まれる制御コードと判断する。ここで、制御コード１〜５を受信する際のそれぞれの間隔がコード受信間隔Ｇ２以内であった場合、コード判断部５３２は、制御コード１〜５を同一の伝送コード１００に含まれる制御コードであると判断する。
そして、コード判断部５３１は、この伝送コード１００に含まれる複数の制御コード１〜５に基づき、各制御コード１〜５が示すリモコン情報を得る。ここで、制御コード１〜３のリモコン情報が「ａ」、制御コード４、５のリモコン情報が「ｍｉｓｓ（不明）」であるとする（ケース１参照）。コード判断部５３１は、このリモコン情報に基づき、同じ内容を示すリモコン情報の数が最も多いリモコン情報は、リモコン情報「ａ」であると判断する（ステップＳＴ７）。そして、コード判断部５３１は、判断結果であるリモコン情報「ａ」を制御部５４およびコード生成部５３２に出力する。
【００３９】
そして、コード生成部５３２は、コード判断部５３１から入力される判断結果に基づき、伝送コード２００を作成する。つまり、コード生成部５３２は、判断結果であるリモコン情報「ａ」を含む制御コード１〜５を生成し、コード間隔Ｇ１をあけて送信部５６から送信されることを示す送信タイミング情報を制御コード１〜５に対応づけた伝送コード２００を送信部５６に出力する。そして、送信部５６は、伝送コード２００に基づき、制御コード１〜５を、コード間隔Ｇ１をあけてディスプレイ３に送信する（ステップＳＴ９）。
また、判断結果であるリモコン情報「ａ」が入力された制御部５６は、このリモコン情報「ａ」に基づき、ディスプレイ２の表示部５５の電源をＯＮする（ステップＳＴ１０）。
【００４０】
上述の通り、本実施形態に係るディスプレイ１は、受信したリモコンコードに基づき、同一のリモコン情報を示す複数の制御コード１〜５を生成し、この制御コード１〜５を連続してディスプレイ２に送信する。このディスプレイ２は、受信した制御コード１〜５に基づき、この制御コード１〜５がそれぞれ示すリモコン情報を得て、これら複数のリモコン情報のうち、同じ内容を示すリモコン情報の数が最も多いリモコン情報を、受信した制御コード１〜５が示すリモコン情報であると判断する。そして、ディスプレイ２は、判断結果に基づき表示部５５を制御するとともに、判断結果であるリモコン情報を示す複数の制御コード１〜５を生成し、この制御コード１〜５を連続してディスプレイ３に送信する。
このように直列的に連続して接続されているディスプレイ１〜９のそれぞれにおいて、受信した複数の制御コード１〜５の示すリモコン情報に基づき、多数決で制御コード１〜５が示すリモコン情報を判断する。
これにより、ディスプレイ１〜９の伝送時において外乱により伝送コードの情報の欠落が発生した場合であっても、この欠落による誤りを次のディスプレイで発見し、修正することができる。よって、複数のディスプレイ１〜９が直列的に接続されているシステムにおいて、途中で伝送コードの情報の欠落があった場合であっても、最後のディスプレイ９でリモコン情報に基づく制御を実現することができる。
【００４１】
また、上述の構成により、ディスプレイ１〜９が、リモコン送信機１０からのリモコン情報に基づき、同一のリモコン情報の受信を繰り返すことで表示部３５の機能の状態のＯＮとＯＦＦを切り替えるトグル動作を行う場合、ディスプレイ１〜９における動作の乱れの発生を防止することができる。
本実施形態によらない場合を例に以下説明する。ディスプレイ１´がリモコン送信機１０´からリモコン情報「ａ」（ディスプレイの電源をＯＮ／ＯＦＦさせる制御信号）を受信した場合、途中のディスプレイにおいて受信ミスが発生すると、それ以降のディスプレイに対してリモコン情報「ａ」が伝送されない。これにより、リモコン情報「ａ」を受信したディスプレイでは電源がＯＮされるももの、受信ミスが発生したディスプレイ以降のディスプレイにおいては電源がＯＦＦのままである。これに続けて、ディスプレイ１´がリモコン送信機１０´からリモコン情報「ａ」を受信すると、現時点において電源がＯＮされているディスプレイは電源がＯＦＦされ、電源がＯＦＦされているディスプレイは電源がＯＮされる。従って、複数のディスプレイが連動して動作することができず、表示システムがうまく作動しない問題がある。
本実施形態に係る表示システムは、上記構成により、上記問題を解決することができる。
なお、このような問題は、リモコン送信機１０から受信するリモコンコードに従って制御されるディスプレイにおいては想定されない問題である。リモコン送信機１０からのリモコンコードの送受信が失敗した場合、再度、リモコン送信機１０からリモコンコードを送信すればよいからである。一方、上述のような表示システムでは、このようなリモコンコードを伝送する際のディスプレイ間における伝送ミスに対する補償が、そもそも従来想定されていなかったために上記問題が生じた。
【００４２】
ここで、以下の３つの問題が発生した場合について、本実施形態に係る表示システムの解決手段についてそれぞれ説明する。
１つ目の問題として、例えば、リモコン送信機１０の操作部１２が短い間隔で連続して押下された場合、先に送信されたリモコンコードに続けて送信される次のリモコンコードに含まれる情報に欠落が生じる場合がある。
上述の通り、本実施形態に係る表示システムでは、ディスプレイ１の受信部３２が、計時部３１から受信待ち時間が経過したことを示す信号を受信したか否かを判断し、受信待ち時間が経過したことを判断した場合、リモコン送信機１０から送信されるリモコンコードを受信する。これにより、先に送信されたリモコンコードを受信してから、次に送信されたリモコンコードを受信するまでの間隔が、受信待ち時間に達していない場合、次に送信されたリモコンコードの受信を拒否することができる。
よって、上記１つ目の問題を解決し、情報の欠落が生じているおそれのある連続操作による次のリモコンコードの受信を回避することができる。
【００４３】
２つ目の問題として、例えば、ディスプレイ１〜９間の伝送中に外乱の影響を受けて、伝送データの情報が欠落する場合がある。
上述の通り、本実施形態に係る表示システムでは、（１）直列的に接続されているディスプレイ１〜９のそれぞれにおいて、受信した伝送コードに基づきリモコン情報を判断し、（２）判断されたリモコン情報を示す複数の制御コード１〜５の連続して送信する。また、（３）送信部３６、５６が、予め決められているコード間隔Ｇ１をあけて制御コード１〜５を送信側のディスプレイに送信し、（４）受信側のディスプレイが、コード受信間隔Ｇ２以内で受信する複数の制御コード１〜５を同一の伝送コードに含まれる制御コードとして判断し、この制御コード１〜５に基づき、多数決で、リモコン情報を判断する。
これにより、上記２つ目の問題を解決し、ディスプレイ１〜９の伝送時において外乱により伝送コードの情報の欠落が発生した場合であっても、この欠落による誤りを次のディスプレイで発見し、修正することができる。
【００４４】
３つ目の問題として、直列的に接続されているディスプレイ１〜９のそれぞれにおいて、途中の一台で伝送コードの情報の欠落があった場合、ディスプレイ１〜９を統括的に制御することができず、表示システムのうまく動作しなくなる。
これは、１つ目の問題と２つ目の問題を解決する手段を両方用いることにより、解決することができる。つまり、複数のディスプレイ１〜９が直列的に接続されているシステムにおいて、途中で伝送コードの情報の欠落があった場合であっても、最後のディスプレイ９でリモコン情報に基づく制御を実現することができる。
【００４５】
なお、本実施形態に係る表示システムにおいて、ディスプレイ１〜９は、ディスプレイ１が受信したリモコン送信機１０からのリモコンコードを直列的に伝送する例をあげて説明したが、本発明はリモコン送信機１０からのリモコンコードの伝送に限られない。例えば、複数のディスプレイや電子機器が直列的に接続されているシステムに適用可能である。
また、送信側のディスプレイ１において複数の制御コード１〜５のコード間隔Ｇ１と、受信側のディスプレイ２において同一の伝送コードに含まれる制御コードとして判断される際のコード受信間隔Ｇ２は、同一であることが好ましい。なお、伝送速度の低下が生じた場合を考慮して、コード受信間隔Ｇ２をこの分だけ長くしてもよい。
さらに、送信部３６、５６が、データ処理部３３、５３から入力される複数の制御コード１〜５を、予め決められているコード間隔Ｇ１をあけて、順次送信するものであってもよい。
【００４６】
また、上述のディスプレイの各構成における動作の過程は、コンピュータに実行させるためのプログラムや、このプログラムとしてコンピュータ読み取り可能な記録媒体として利用可能であり、コンピュータシステムが読み出して実行することによって、上記処理が行われる。なお、ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリー等の書き込み可能な不揮発性メモリ、ＣＤ−ＲＯＭ等の可搬媒体、コンピュータシステムに内蔵されるハードディスク等の記憶装置のことをいう。
【００４７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄａｍ  Ａｃｃｅｓｓ  Ｍｅｍｏｒｙ））のように、一定時間プログラムを保持しているものも含むものとする。
また、上記プログラムは、このプログラムを記憶装置等に記憶したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【符号の説明】
【００４８】
１〜９・・・ディスプレイ、１０・・・リモコン送信機、１１・・・リモコン送信部、１２・・・操作部、３１・・・計時部、３２・・・受信部、３３・・・コード処理部、３４・・・制御部、３５・・・表示部、３６・・・送信部、５１・・・計時部、５２・・・受信部、５３・・・コード処理部、５４・・・制御部、５５・・・表示部、５６・・・送信部、３３１・・・コード判断部、３３２・・・コード生成部、５３１・・・コード判断部、５３２・・・コード生成部
【図１】
2011117930.tif 000003
【図２】
2011117930.tif 000004
【図３】
2011117930.tif 000005
【図４】
2011117930.tif 000006
【図５】
2011117930.tif 000007
【国際調査報告】
2011117930.tif 000008
2011117930.tif 000009
2011117930.tif 000010